(57)【要約】【解決手段】病院その他の医療機関において、患者や療養者ごとのチェアにＳＴＢと情報端末とを接続された状態で設置し、前記各ＳＴＢに一般テレビジョン回線と専用ＶＯＤ回線を接続するとともに、ポータルサービスシステムソフトを搭載し、前記各情報端末をそれぞれ内部ネットワークで接続する。【効果】患者や療養者は様々な時間帯においてポータルサービスシステムソフトのメニューに沿ったサービスを提供してもらうことができる。従って、患者や療養者のアメニティ環境の向上と医療環境の向上を図ることができるのみならず、医療機関側の悩みも解消される。例えば、ポータルサービスシステムにより、テレビジョンを見たり、ビデオやゲームなどのコンテンツをオン・デマンド配信（ＶＯＤ）により楽しむことができ、また、インターネットやメールを利用することができる。【選択図】図３
2007330668.tif 000002
【特許請求の範囲】
【請求項１】
病院その他の医療機関において、患者や療養者ごとのチェアにＳＴＢと情報端末とを接続された状態で設置し、前記各ＳＴＢに一般テレビジョン回線と専用ＶＯＤ回線を接続するとともに、ポータルサービスシステムソフトを搭載し、前記各情報端末をそれぞれ内部ネットワークで接続したことを特徴とするパソコン組込式チェア。
【請求項２】
チェアサイドの情報端末がタッチパネル式のテレビジョンモニタである請求項１記載のパソコン組込式チェア。
【請求項３】
チェアサイドの情報端末を、個々にアプリケーションを実行し得るように構成したことを特徴とする請求項１又は２記載のパソコン組込式チェア。
【請求項４】
情報端末には、ＩＣカード、支払機能付きの携帯電話その他の電子マネーシステム情報を読み取るリーダ／ライタが接続されていることを特徴とする請求項１〜３のいずれかに記載のパソコン組込式チェア。
【発明の詳細な説明】
【技術分野】
【０００１】
本発明は、病院その他の医療機関で使用すると極めて好適なチェアに関し、さらに詳しくは、情報端末が設置されているチェアにＳＴＢを取り付けたものに関する。
【背景技術】
【０００２】
近年の情報社会の飛躍的発展に伴って社会生活の中にＩＴ（情報技術）が広く浸透し、病院その他の医療機関においてもＩＴ化が進んでいる。例えば、医師や看護師が携帯する情報端末と患者や療養者のベッドサイドにある情報端末とナースセンターにある親機をネットワークで接続し、各種の情報を共有できるようにしたシステムは、特許文献１をはじめとして多数提案されている。また、このようなネットワークを利用して業務上のサービスを実施し得るようにすることもすでに実施されている。
【０００３】
【特許文献１】特開２００６−４１３５号公報（第３〜６頁、図１）
【発明の開示】
【発明が解決しようとする課題】
【０００４】
このようなネットワークシステムは看護業務管理や看護支援のために開発されたものであるから、患者や療養者が医療施設内で感じている不安、緊張を払拭することに適応させ得るものではない。
ところが、医療や療養のために長い間医療施設内にいる者にとっては、それでなくても不安感、緊張感を抱きやすく、患者や療養者のアメニティ環境の向上と医療環境の向上が望まれている。
例えば、透析治療中においては、ほとんどの患者がすることがなくて退屈と感じており、また、医療施設内では通常携帯電話が使用できないので、メールを利用することができないという不便やインターネットを利用できないという不便を感じている人も多い。さらに、必要なものを買いに出掛けることもできず、不自由な生活を余儀なくされている場合も多い。
【０００５】
このような場合においても患者や療養者がテレビジョンを見ることができるのはもちろんのこと、ビデオやゲームなどのコンテンツをオン・デマンド配信（ＶＯＤ）により楽しむことができ、また、インターネットやメールを利用することができるようなサポートシステムが構築されておれば、患者や療養者のアメニティ環境の向上と医療環境の向上に寄与することができるのみならず、医療機関の悩みを解消することができる。
【０００６】
このように、病院その他の医療施設内での生活では、患者や療養者のアメニティ環境の向上と医療環境の向上が強く望まれており、その一方で医療機関側にとってもそれが悩みの１つになっている。
このような状況下において、患者や療養者の要望と医療機関側の悩みを解消し得るサポートシステムが構築されており、患者や療養者の要望と医療機関側の悩みを解消し得るポータルサービスが患者や療養者ごとに実行できれば、上記課題を解決することができる。
【課題を解決するための手段】
【０００７】
本発明は、このような要望に応えることのできるチェアを開発することを目的とするものであって、病院その他の医療機関において、患者や療養者ごとのチェアにＳＴＢと情報端末とを接続された状態で設置し、前記各ＳＴＢに一般テレビジョン回線と専用ＶＯＤ回線を接続するとともに、ポータルサービスシステムソフトを搭載し、前記各情報端末をそれぞれ内部ネットワークで接続したことを特徴とするものである。
このチェアを利用した場合には、患者や療養者は様々な時間帯においてポータルサービスシステムソフトのメニューに沿ったサービスを提供してもらうことができる。従って、患者や療養者のアメニティ環境の向上と医療環境の向上を図ることができるのみならず、医療機関側の悩みも解消される。
【０００８】
例えば、ポータルサービスシステムソフトのメニューが、テレビジョン観賞、ビデオ及びゲームなどのコンテンツをオン・デマンド配信（ＶＯＤ）でき、さらに、インターネットやメールを利用できる場合には、テレビジョンを見ることができるのはもちろんのこと、ビデオやゲームなどのコンテンツをオン・デマンド配信（ＶＯＤ）により楽しむことができ、また、インターネットやメールを利用することができる。従って、患者や療養者のアメニティ環境の向上と医療環境の向上に大きく寄与することができるのみならず、医療機関側の悩みも解消される。
【０００９】
上記の場合において、チェアにＳＴＢが直接取り付けられているので、極めてコンパクトになる。また、チェアに直接取り付けられているＳＴＢに一般テレビジョン回線と専用ＶＯＤ回線が接続されているので、それらをＳＴＢから外すとともに、主電源用のコードをコンセントから外すだけでＳＴＢ機器のコード類を外すことなくチェアを移動できる。
【００１０】
チェアサイドの情報端末として、タッチパネル式のテレビジョンモニタを用いることができる。この場合には、患者や療養者のそばにあるタッチパネル式のテレビジョンモニタの画面に触れることにより、ポータルサービスシステムソフトのメニューに沿ったサービスを容易に提供してもらうことができる。例えば、テレビジョン受信の操作やビデオやゲームの操作、インターネット画面やメール画面への変更を容易に実施できる。
【００１１】
チェアサイドの情報端末を、個々にアプリケーションを実行し得るように構成しておくとよい。この場合には、個々のアプリケーションにより、ポータルサービスシステムソフトのメニューに沿ったサービスを提供してもらうことができる。例えば、テレビジョン受信を行うアプリケーションにより、テレビジョンを観賞することができ、ビデオやゲームを実行させるアプリケーションにより、テレビジョンモニタでビデオを観賞し、ゲームを行うことができる。さらに、インターネットやメールを実行させるアプリケーションにより、インターネットやメールを楽しむことができる。
【００１２】
情報端末には、ＩＣカード、支払機能付きの携帯電話その他の電子マネーシステム情報を読み取るリーダ／ライタが接続されていることが望ましい。この場合には、患者や療養者のそばにある情報端末に接続されているリーダ／ライタにＩＣカード、支払機能付きの携帯電話その他の電子マネーシステム情報をかざすことにより、それぞれのサービスの利用とサービス利用後の決済とを行うことができる。
【発明の効果】
【００１３】
請求項１記載のチェアを利用した場合には、患者や療養者は様々な時間帯においてポータルサービスシステムソフトのメニューに沿ったサービスを提供してもらうことができる。従って、患者や療養者のアメニティ環境の向上と医療環境の向上を図ることができるのみならず、医療機関側の悩みも解消される。
【００１４】
また、請求項１記載のチェアを利用した場合には、チェアにＳＴＢが直接取り付けられているので、極めてコンパクトになるのみならず、チェアに直接取り付けられているＳＴＢに一般テレビジョン回線と専用ＶＯＤ回線が接続されているので、それらをＳＴＢから外すとともに、主電源用のコードをコンセントから外すだけでＳＴＢ機器のコード類を外すことなくチェアを移動できる。
【００１５】
請求項２記載のチェアを利用した場合には、患者や療養者のそばにあるタッチパネル式のテレビジョンモニタの画面に触れることにより、ポータルサービスシステムソフトのメニューに沿ったサービスを容易に提供してもらうことができる。
【００１６】
請求項３記載のチェアを利用した場合には、個々のアプリケーションにより、ポータルサービスシステムソフトのメニューに沿ったサービスを提供してもらうことができる。
【００１７】
請求項４記載のチェアを利用した場合には、患者や療養者のそばにある情報端末に接続されているリーダ／ライタにＩＣカード、支払機能付きの携帯電話その他の電子マネーシステム情報をかざすことにより、それぞれのサービスの利用とサービス利用後の決済とを行うことができるので、極めて便利である。
【発明を実施するための最良の形態】
【００１８】
本発明の実施の形態について、図面を参照しながら詳細に説明する。
ここに示すパソコン組込式チェアは、リクライニング式のチェアであって、図示してないモータにより背もたれを適宜の角度に変更することができ、ベッドのように水平状態にして用いることもできる。また、図示してないモータにより座部を昇降させることもできる。
【００１９】
このチェアは病院その他の医療機関で使用すると極めて好適で、患者や療養者ごとのチェア、特に、透析用のチェアに用いると最適なものである。しかしながら、それらの用途のみに限定されるものではなく、いわゆる多目的チェアとして利用できる。
このチェアＢには図３に示すようにＳＴＢと情報端末Ａとが接続された状態で設置されている。そして、前記各ＳＴＢには一般テレビジョン回線Ｃと専用ＶＯＤ回線Ｄとが接続してあり、さらに、各ＳＴＢにはポータルサービスシステムソフトが搭載されている。
チェアサイドにある患者や療養者用の各情報端末Ａ，Ａは、それぞれ内部ネットワークで接続されている。ただし、図３では、便宜上１台のチェアＢのみが接続された状態が示されている。
【００２０】
前記内部ネットワークは、チェアサイドにある患者や療養者用の情報端末Ａと、ナースセンターに設置されている情報端末Ｅと、医師・看護師等医療機関に従事する者用に設置されている情報端末Ｆと、前記専用ＶＯＤ回線Ｄに接続されているサーバーＧとで構成されており、サーバーＧを介して情報端末Ａ、情報端末Ｅ、情報端末Ｆが互いに通信可能になっている。そして、この内部ネットワークはインターネットＨに接続してある。
【００２１】
ＳＴＢ（セットトップボックス）は様々なサービスを受けられるようにするための機器であり、パソコンで構成することができる。このＳＴＢ２は、図１及び図２に示すようにカバー１内の取付フレーム４に固定用ベルト３で取り付けられ、カバー１内に収納されている。カバー１は合成樹脂製とすることができる。取付フレーム４はチェア本体フレーム５にボルトで固定されている。そして、ＳＴＢ２には主電源用のコードｆが接続されており、このコードｆから電源タップ１３を介して電源タップコードｇが延び出させてある。
【００２２】
一方、患者や療養者用の前記情報端末Ａとして、タッチパネル式のテレビジョンモニタを用いることができる。タッチパネル式のテレビジョンモニタ１１はテーブル付きとすることができる。このテレビジョンモニタ１１と前記ＳＴＢ２とは、モニタケーブルａ，ｂ，ｅ（図１の場合）で、あるいは、モニタケーブルａ，ｃ’，ｅ（図２の場合）で接続されている。なお、図１、図２において、符号８はテレビジョンモニタ１１固定用のフレームである。
【００２３】
ＳＴＢ２に搭載されているポータルサービスシステムソフトとしては、例えば、テレビジョン観賞、ビデオ及びゲームなどのコンテンツをオン・デマンド配信（ＶＯＤ）でき、さらに、インターネットやメールを利用できるメニューを備えているシステムソフトを挙げることができる。
【００２４】
チェアＢに設置されているＳＴＢ２にこのシステムソフトが搭載されている場合には、チェアＢに座ったままで患者や療養者のそばにあるタッチパネル式のテレビジョンモニタ１１の画面を通してテレビジョンを見ることができるのはもちろんのこと、ビデオやゲームなどのコンテンツをオン・デマンド配信（ＶＯＤ）により楽しむことができ、また、インターネットやメールを利用することができる。従って、患者や療養者のアメニティ環境の向上と医療環境の向上に大きく寄与することができるのみならず、医療機関側の悩みも解消される。
そして、患者や療養者はそばにあるタッチパネル式のテレビジョンモニタ１１の画面に触れることにより、ポータルサービスシステムソフトのメニューに沿ったサービスを容易に提供してもらうことができる。
【００２５】
図１は、コードレスリモコン仕様のチェアの一例を示す。この場合には、タッチパネル式のテレビジョンモニタ１１付近にリモコン受信部・イヤホンジャック１２が設けられており、このリモコン受信部・イヤホンジャック１２とタッチパネル式のテレビジョンモニタ１１とがリモコン・音声ケーブルｃで接続されている。従って、コードレス赤外線式のリモコン７を操作するだけでリモコン受信部・イヤホンジャック１２を介してタッチパネル式のテレビジョンモニタ１１を操作できる。
【００２６】
一方、図２は、有線リモコン仕様のチェアの一例を示す。この場合には、有線式のリモコン７’（イヤホンジャック付き）が用いられ、このリモコン７’を操作するだけでタッチパネル式のテレビジョンモニタ１１を操作できる。なお、図２における符号ｂ’はリモコンケーブルである。
【００２７】
図１、図２に示すチェアＢには、いずれもＳＴＢ２が直接取り付けられているので、極めてコンパクトになり、チェアＢの回りをすっきり綺麗にすることができる。また、図１及び図２に示すチェアＢに直接取り付けられているＳＴＢ２には、一般テレビジョン回線Ｃと専用ＶＯＤ回線Ｄが接続されているので、それらをＳＴＢ２から外すとともに、主電源用のコードｆをコンセントから外すだけでＳＴＢ機器のコード類を外すことなくチェアＢを移動できる。
なお、図１、図２において、符号６は収納ボックスで、余ったコード、ケーブル、アダプター類を収納するためのものである。
【００２８】
ＳＴＢ２に搭載されているポータルサービスシステムソフトとして、上記の場合以外に例えばオプションメニューとして、病院その他の医療施設内の案内、医師・スタッフの紹介、患者アンケートなどのメニューを設定しておけば、チェアＢに座ったままで患者や療養者のそばにあるタッチパネル式のテレビジョンモニタ１１の画面を通してそれらのサービスを容易に提供してもらうことができる。
【００２９】
さらに、ここには、タッチパネル式のテレビジョンモニタ１１付近に、ＩＣカード、支払機能付きの携帯電話その他の電子マネーシステム情報（ＩＤ情報）を読み取るリーダ／ライタ１０が取り付けられた場合が例示されている。なお、図１、図２において、符号９はリーダ／ライタ１０を固定するための固定フレーム、ｄはリーダ／ライタ１０用のケーブルである。
このリーダ／ライタ１０にＩＣカード、支払機能付きの携帯電話その他の電子マネーシステム情報（ＩＤ情報）をかざすことにより、それぞれのサービスの利用とサービス利用後の決済とを行うことができる。例えば、ＩＣカード、支払機能付きの携帯電話その他の電子マネーシステム情報（ＩＤ情報）に記憶された情報に応じてテレビジョン観賞時間が自動的に制御されるとともに、患者や療養者のそばにあるリーダ／ライタ１０でＩＣカード、支払機能付きの携帯電話その他の電子マネーシステム情報における残りの金額その他の情報を知ることができる。
ＩＣカードは例えば非接触型とすることができる。また、支払機能付きの携帯電話はいわゆるお財布携帯と呼ばれてそれをリーダ／ライタ１０にかざすことにより支払うことができるものである。
【００３０】
このように、患者や療養者のそばにあるリーダ／ライタ１０にＩＣカード、支払機能付きの携帯電話その他の電子マネーシステム情報をかざすことにより、それぞれのサービスの利用とサービス利用後の決済とを行うことができるので、極めて便利である。
そして、前記内部ネットワークが医療施設外の店舗（例えば、コンビニエンスストア）と接続されており、あるいは、医療施設外の店舗がリーダ／ライタ１０で使用可能なＩＣカード、支払機能付きの携帯電話その他の電子マネーシステム情報を利用できるところであれば、患者や療養者のそばにあるリーダ／ライタ１０を通じてショッピングができるので、通常の日常生活とほとんど変わらない病院生活・療養生活を送ることができる。
【図面の簡単な説明】
【００３１】
【図１】本発明のパソコン組込式チェアの一例を示す概略図で、コードレスリモコン仕様の場合の一例を示す。
【図２】本発明のパソコン組込式チェアの一例を示す概略図で、有線リモコン仕様の場合の一例を示す。
【図３】本発明のパソコン組込式チェアを用いた病院その他の医療施設におけるサポートシステムの一例を示す概念図である。
【符号の説明】
【００３２】
２…ＳＴＢ、７，７’…リモコン、１０…リーダ／ライタ、１１…テレビジョンモニタ、Ｂ…チェア、ａ，ｂ，ｃ’，ｅ…モニタケーブル、ｆ…主電源用のコード。
【図１】
2007330668.tif 000003
【図２】
2007330668.tif 000004
【図３】
2007330668.tif 000005